(57)【特許請求の範囲】
【請求項１】
駆動電流を超音波振動に変換する振動子を有し、かつジェネレータからの駆動電流を上記振動子に供給するケーブルのコネクタを着脱自在に接続するプラグ部を備えた超音波処置用ハンドピースにおいて、
上記プラグ部は、突起を有し、上記突起の周囲に距離を置いて上記突起を囲む環状壁を形成して成り、上記環状壁で囲まれる上記突起の外周面に電気接点を配設し、上記電気接点は、上記突起の周囲に上記環状壁との間の隙間によって形成される溝の奥底から離れた位置に配置されることを特徴とする超音波処置用ハンドピース。
【請求項２】
上記電気接点は、上記環状壁の先端よりも内側に位置することを特徴とする請求項１に記載の超音波処置用ハンドピース。
【請求項３】
上記電気接点は、上記突起の外周面に一部分が露出し、他の部分が上記突起内に埋め込まれたことを特徴とする請求項１または請求項２に記載の超音波処置用ハンドピース。
【請求項４】
上記電気接点は、上記突起の周面上にハンドピースの長軸と平行に配置され、複数の上記電気接点の間に位置する上記突起の周面に溝を形成したことを特徴とする請求項１、請求項２または請求項３に記載の超音波処置用ハンドピース。
【請求項５】
上記環状壁の外周に上記ケーブルのコネクタを係着する手段を設けたことを特徴とする請求項１乃至請求項４のいずれかに記載の超音波処置用ハンドピース。
【発明の詳細な説明】
【０００１】
【発明の属する技術分野】
本発明は、駆動電流を超音波振動に変換する振動子を有し、かつジェネレータからの駆動電流を上記振動子に供給するケーブルのコネクタを着脱自在に接続するプラグ部を備えた超音波ハンドピースに関する。
【０００２】
【従来の技術】
従来、超音波振動子を利用して吸引を行う超音波吸引装置や、超音波振動を利用して凝固・切開等を行う超音波凝固切開装置が知られている。
【０００３】
一方、超音波処置用プローブを利用し、そのプローブ先端から高周波電流を生体組織に与えて凝固切開を行うようにした電気メス装置も知られている。例えば、特開昭６０−８０４４６号公報の従来例の欄に記載された手術装置は、超音波による外科用手術装置に電気メスの機能を持たせ、超音波を利用して生体組織を破砕し、かつホーンに高周波電流を流してホーン先端で血管を止血し、超音波を供給したり、高周波を流したりすることはスイッチの操作により行なうようにしたものである。
【０００４】
また、米国特許第４，９３１，０４７号明細書の超音波手術装置は、超音波メスとしてのハンドピースに接続されたケーブルの他端に、コネクタを設け、このコネクタを介することによって、電気メス電源を着脱自在に接続し、ハンドピースに超音波振動と高周波電流を同時に供給することができるようにしたものであり、これによって、ハンドピースを超音波メスとして使用している際、同時に電気メスとしても使用することができるようになる。
【０００５】
【発明が解決しようとする課題】
しかし、従来の超音波手術装置では、超音波振動子自体に電気メス信号供給手段を組み込むことは、高周波の絶縁を必要とする為、複雑な構造になりやすく、特に大型化し易くなっていた。
【０００６】
また、プローブの形状等が違うと、生体組織に対する作用が異なる。そこで、使用目的に合わせた形式のプローブを選び、ハンドピースにネジ締結すると共に、各々のプローブ専用シースを、ハンドピースに対して組み付けて使え分ける形式の超音波処置具があった。
【０００７】
ところで、ジェネレータからの駆動電流を伝達するケーブルを、ハンドピースから着脱自在に出来るように構成した場合、術中にプローブを取り替えるべく、複数のハンドピースそれぞれに予め必要なプローブをネジ締結し、専用のシースを組み付けておき、使用するプローブを術中に取り替えることが出来る。すなわち、ケーブル１本を共通に使用し、必要なプローブが予め組み付いたハンドピースにケーブルを付け替えて使用することが出来る。
【０００８】
しかしながら、ハンドピースにケーブルを付け替えて使用する形式とした場合、ハンドピースの電気接点、及びケーブルのコネクタ部における電気接点は外部に露出する状態に設けられている。このように電気接点部は外部に露出しているから不必要に触れたりすると、その接触面が汚れて電気接点の電気導通性が低下してしまう。
【０００９】
そこで、従来、電気接点の電気導通性の低下を防ぐため、一方の接点をオス型ピン形状とし、メス側の接点はピンの入る細い孔状に構成し、両者を嵌み合わせて電気的に接続することが多い。
【００１０】
手術で使用する超音波処置具は、時々、接点部に体液や血液が付着することがあり得る。接点部に体液や血液が付着したまま放置すると、電気導通性が低下するおそれがあるので、接続部内まで洗浄する必要がある。
【００１１】
しかし、ピンと孔の接続形式の構造では接続部内に血液等の汚れが付着した場合、その洗浄性が悪い。例えば、ＵＳＰ第５，３９５，２４０号の処置具があるが、これは、ピンと孔の接続形式のものであるため、接点部の洗浄性が良くない。
【００１２】
また、洗浄性を向上させるため、接続部周辺を開放した形の接続構造であると、そのコネクタの開放部が大きくなる。すると、電気接点部に指が触れやすくなる。仮に、誤って接点に指等が触れて接点間を短絡させた場合、温度変化によりハンドピース内部のトランスデューサに溜まった電荷が放電したり、接点部に汚れが再付着するおそれがある。例えば、ＵＳＰ第５，８０７，３９２号に開示された解放構造のものを超音波ハンドピースに当てはめた場合、ピン接点間に触れ易く、その際に電荷の放電は避けられない。
【００１３】
本発明は上述した点に鑑みてなされたもので、不必要に接点部に指が触れない構造の超音波ハンドピースを提供するものである。
【００１４】
【課題を解決するための手段】
請求項１に係る発明は、駆動電流を超音波振動に変換する振動子を有し、かつジェネレータからの駆動電流を上記振動子に供給するケーブルのコネクタを着脱自在に接続するプラグ部を備えた超音波処置用ハンドピースにおいて、上記プラグ部は、突起を有し、上記突起の周囲に距離を置いて上記突起を囲む環状壁を形成して成り、上記環状壁で囲まれる上記突起の外周面に電気接点を配設し、上記電気接点は、上記突起の周囲に上記環状壁との間の隙間によって形成される溝の奥底から離れた位置に配置されることを特徴とする。
請求項２に係る発明は、上記電気接点は、上記環状壁の先端よりも内側に位置することを特徴とする請求項１に記載の超音波処置用ハンドピースである。
請求項３に係る発明は、上記電気接点は、上記突起の外周面に一部分が露出し、他の部分が上記突起内に埋め込まれたことを特徴とする請求項１または請求項２に記載の超音波処置用ハンドピースである。
請求項４に係る発明は、上記電気接点は、上記突起の周面上にハンドピースの長軸と平行に配置され、複数の上記電気接点の間に位置する上記突起の周面に溝を形成したことを特徴とする請求項１、請求項２または請求項３に記載の超音波処置用ハンドピースである。
請求項５に係る発明は、上記環状壁の外周に上記ケーブルのコネクタを係着する手段を設けたことを特徴とする請求項１乃至請求項４のいずれかに記載の超音波処置用ハンドピースである。
【００１５】
【発明の実施の形態】
（本発明の基本的構成）
図１は本発明の超音波処置装置の基本的な構成を示す概念図である。本発明の超音波処置装置は生体に対して超音波振動及び電気メスによる処置を行う処置具（ハンドピース）１を備える。この処置具１は超音波振動子２と、この超音波振動子２で発生した超音波を伝達するプローブ３とを備える。超音波振動子２には駆動装置４からの駆動信号が駆動信号伝達用ケーブル５を経て印加され、その駆動信号の印加により超音波振動子２は超音波振動し、この超音波をプローブ３に伝達し、プローブ３の先端で凝固などの処置を行う。また、処置具１には着脱式電気メスアダプタ６が選択的に接続され、着脱式電気メスアダプタ６を処置具１に接続した場合にはその着脱式電気メスアダプタ６を介して、電気メス装置７から電気メス信号をプローブ３に印加し、電気メスによる処置も行うことができる。電気メスを使用しない場合には上記着脱式電気メスアダプタ６を処置具１から取り外すことにより小型でシンプルな超音波処置具として単独に使用することができる。
【００１６】
（第１実施形態）
図２乃至図４を参照して本発明の第１実施形態に係る超音波凝固切開装置について説明する。
【００１７】
図２に示すように、本発明の第１実施形態の超音波凝固切開装置１０は、超音波による凝固及び切開を行う超音波振動子１１（図４参照）を内蔵した処置具１２と、この処置具１２の超音波振動子１１に駆動信号を供給する駆動装置１３と、この駆動装置１３より供給される駆動信号を上記処置具１２の超音波振動子１１に伝達する駆動信号伝達コード（ケーブル）１４と、上記駆動装置１３に接続され、駆動信号のＯＮ／ＯＦＦ操作を行うフットスイッチ１５と、上記処置具１２に電気メス信号を供給する電気メス装置１６と、この電気メス装置１６により発生された電気メス信号を上記処置具１２に伝達するアクティブコード１７と、このアクティブコード１７と接続可能な高周波処置用電極受けピン（アクティブコードピン受け）１８を有し、上記処置具１２に着脱自在な電気メスアダプタ１９と、上記電気メス装置１６に接続された電気メス信号リターン用コード２０を介して生体の広い部分に接触するように配置される対極板２１と、上記電気メス装置１６に接続されて電気メス信号の出力をＯＮ／ＯＦＦする操作を行うフットスイッチ２２とを備える。
【００１８】
電気メスアダプタ１９の処置用電極受けピン１８にはアクティブコード１７の先端コネクタ２４が着脱自在に接続されるようになっている。また、駆動信号伝達コード１４に設けられた先端コネクタ２５は中継となる電気メスアダプタ１９を介在させて処置具１２に接続したり、直接に処置具１２に接続したりすることができる構造のものである。
【００１９】
次に、処置具１２の構造について、図４を参照して説明する。超音波振動子１１は振動子カバー３１の内部に組み込まれており、この超音波振動子１１で発生した超音波振動が、ホーン３２に伝達される。このホーン３２で増幅された超音波振動は、このホーン３２の先端に連結されるプローブ（又は振動伝達棒）３３に振動が伝わり、プローブ３３の先端に形成された固定刃３４まで伝達される。
【００２０】
ホーン３２は超音波の伝達特性が良好な金属部材（例えば、チタン、アルミニウム）で形成され、プローブ３３も超音波伝達特性の良好な金属部材で形成されている。また、本実施形態ではホーン３２及びプローブ３３はいずれも導電性のものである。ホーン３２とプローブ３３は雌ネジ３５と雄ネジ３６を螺合することにより着脱自在に連結されるようになっている。プローブ３３の固定刃３４はプローブ３３の先端部分を細径にして棒状に形成されるが、この固定刃３４としてはいわゆるナイフ状のものであってもかまわない。
【００２１】
図３で示すように、プローブ３３における固定刃３４の後端部位には電気的絶縁特性の良好な部材（例えばポリテトラフルオロエチレン等のフッ素樹脂）で形成された先端連結部材４１が取り付けられている。この先端連結部材４１には可動刃４２がピン４２ａを支点として回動自在に取り付けられている。可動刃４２には操作棒４３の先端が連結され、操作棒４３を進退移動させることにより、可動刃４２は固定刃３４に対して図２で示す矢印Ｃの向きに開閉する動きをする。
【００２２】
図３に示すように、操作棒４３は、その長手方向の一定間隔毎に配置されてプローブ３３に連結されている電気的に絶縁特性の良好な部材で形成された略楕円形の連結具４４によってプローブ３３の中心軸と一定距離となるようにプローブ３３に支えられている。操作棒４３の後端は中空の円筒形のロータ４５の前端部分に接続されている。
【００２３】
このプローブ３３に連結されている先端連結部材４１及び連結具４４はいずれもプローブ３３の廻りに回動可能である。つまり、先端連結部材４１及び連結具４４にはプローブ３３の外形に殆ど一致する内径の孔と、操作棒４３の外形に殆ど一致する内径の孔とが設けてあり、プローブ３３及び操作棒４３は各孔に通した状態で移動自在である。
【００２４】
ロータ４５の外周面部には全周にわたる周溝４６が形成されている。周溝４６は一対のリングを平行に固着したり、ロータ４５自体を切り欠いたりする等によって形成されている。周溝４６の部分は、ロータ４５を振動子カバー３１内に取り付けた状態では振動子カバー３１に設けた窓４７の内側に対応位置する。そして、振動子カバー３１の外壁に枢着された後ハンドル４８に設けられた作用棒４９が、その周溝４６と係合する。後ハンドル４８はハンドル支点５１で振動子カバー３１に取着されていて、後ハンドル４８を回動することにより、作用棒４９は図３中の矢印の向きに移動し、ロータ４５を前後方向に移動させることができる。
【００２５】
また、作用棒４９は外側或いは内側に移動可能であり、周溝４６に係合する状態に差し込むことも、外側に移動してその係合を解除することもできる。作用棒４９はロータ４５に対する連結が着脱自在なものである。
尚、振動子カバー３１には後ハンドル４８に対向して隣接する前ハンドル５２が一体的に成形されている。
【００２６】
また、ロータ４５は例えば電気的絶縁部材で形成されており、ホーン３２がロータ４５の中空部分に嵌合した状態でも操作棒４３側及び可動刃４２を金属で形成した場合にもプローブ３３から電気的に絶縁された状態に維持される。
【００２７】
また、上記プローブ３３や操作棒４３の部分には電気的絶縁部材で形成されたシース５５が覆うように被せられ、シース５５の後端には回転操作を行うための回転アダプタ５６が設けられている。この回転アダプタ５６は振動子カバー３１の前端に着脱自在で接続される。
【００２８】
図２で示すように、処置具１２を組み立てた状態では後ハンドル４８をハンドル支点５１を支点として、例えば矢印Ａの方向の反時計回り方向に前方のハンドル５２側に向けて回動させる操作を行うと、作用棒４９は後方へ動くため、この作用棒４９が係合する周溝４６を有するロータ４５は矢印Ｂで示すように後方に動く。このため、ロータ４５及び操作棒４３は一緒に後方へ動く。これにより可動刃４２は図２に示す矢印Ｃの方向に回動し、固定刃３４との間にある組織を超音波振動により摩擦熱で加熱し、切除できる。また、血管を加熱して凝固させることもできる。
【００２９】
また、回転アダプタ５６を回転することにより、シース５５を回転させることができる。このシース５５の内部の形は図３で示すように円形でなく異形であり、先端連結部材４１及び連結具４４と係合的に嵌合する形状であり、シース５５が回転すると、先端連結部材４１、連結具４４、操作棒４３、及びロータ４５は、固定刃３４を軸中心として一緒に回転する。また、作用棒４９は全周状に設けられた周溝４６に係止しているため、そのシース５５等の回転がなされても係合状態は維持される。
【００３０】
固定刃３４と可動刃４２との間に挟み込まれた組織は超音波により切除されるが、固定刃３４がナイフ状の鋭利な形状をしている場合は一般的なハサミより切れ味が良くなる。また、固定刃３４が鈍的な形状をしている場合でも超音波による摩擦熱で組織を焼灼しながら切除することができ、止血が可能となる。
【００３１】
次に、図４を参照して、処置具１２の電気的な内部構成について説明する。処置具１２の振動子カバー３１内には円板形状の圧電素子６１を積層にして構成された超音波振動子１１が組み込まれており、この超音波振動子１１はホーン３２を介してプローブ３３と結合されている。超音波振動子１１の各圧電素子６１の両面にはそれぞれ２極の電圧入力電極６２ａ，６２ｂが設けられている。一方の電圧入力電極６２ａは通電用ライン６３及び導電性のホーン３２を経て金属製（より広い意味では導電性）のプローブ３３に電気的に接続されている。
【００３２】
また、処置具１２の振動子カバー３１における後端部には電気メスアダプタ１９または駆動信号伝達コード１４の先端コネクタ２５の選択したものを着脱自在に接続することができる接続部６５が設けられている。接続部６５は電気絶縁性の嵌着用筒部６６を備えてなり、この嵌着用筒部６６は後述する突起部７６としての接続部本体７０の周囲に距離を置いてその接続部本体７０を囲み、その接続部本体７０の外周に設置した電極板（電気接点）７１ａ，７１ｂを覆う環状壁を形成している。処置具１２の接続部６５における嵌着用筒部６６の内側には一対の電極板７１ａ，７１ｂを周面に配設した突起部７６が設けられている。
【００３３】
また、一対の電極板７１ａ，７１ｂはコード７２ａ，７２ｂを通じてそれぞれが対応する電圧入力電極６２ａ，６２ｂに個別的に接続されている。一対の電極板７１ａ，７１ｂを取り付けた接続部本体７０は電気的絶縁性の部材によって形成され、嵌着用筒部６６と一体的になるように構成されている。接続部本体７０の突出端は絶縁カバー７３によって覆われている。
【００３４】
この嵌着用筒部６６は電気絶縁性の略筒状の取付け部材６７を介して上記振動子カバー３１に対し気密的に取付け固定されている。電気メスアダプタ１９及び駆動信号伝達コード１４の先端コネクタ２５には上記嵌着用筒部６６に対しそれぞれが嵌合し得る同様な構成の筒部６８，６９が設けられている。筒部６８，６９内には上記電極板７１ａ，７１ｂにそれぞれ個別に接触して電気的に接続し得る接触子７４ａ，７４ｂが設けられている。
【００３５】
電気メスアダプタ１９、及び駆動信号伝達コード１４の先端コネクタ２５には、これらのいずれかを処置具１２の接続部６５に装着したときでも、その電極板７１ａ，７１ｂにそれぞれ個別に接触子７４ａ，７４ｂが接触して電気的に接続することができる。
【００３６】
電気メスアダプタ１９の他端部には駆動信号伝達コード１４の先端コネクタ２５を接続するための接続部７５が設けられている。この接続部７５は処置具１２の接続部６５と同様の構成の嵌着用筒部６６と一対の電極板７１ａ，７１ｂと絶縁カバー７３が設けられている。
【００３７】
従って、この接続部７５に駆動信号伝達コード１４の先端コネクタ２５を接続したとき、その先端コネクタ２５の接触子７４ａ，７４ｂが一対の電極板７１ａ，７１ｂに個別に接触して電気的に接続する。また、電気メスアダプタ１９の電極板７１ａ，７１ｂと、上記接触子７４ａ，７４ｂはそれぞれ対応するもの同士が電気的に接続される。
【００３８】
先端コネクタ２５の接触子７４ａ，７４ｂは駆動信号伝達コード１４に接続されている。
【００３９】
上記電気メスアダプタ１９に設けられた電気メス入力部となる高周波処置用電極受けピン１８はその電気メスアダプタ１９の一方の接触子７４ａに対し電気的に接続されている。従って、高周波処置用電極受けピン１８より接触子７４ａを経てコード７２ａ及びライン６３からホーン３２を通じてプローブ３３に電気メス信号が伝わり、電気メス処置を可能にする。つまり、処置具１２に着脱式電気メスアダプタ１９を装着し、この着脱式電気メスアダプタ１９に着脱式駆動信号伝達コード１４の先端コネクタ２５を装着することにより、超音波メスとして使用している最中において、処置用電極受けピン１８にアクティブコード１７の先端コネクタ２４を装着することにより、電気メスとしても使用可能になる。
【００４０】
また、着脱式駆動信号伝達コード１４は取り付けずに、処置具１２に着脱式電気メスアダプタ１９のみを取り付け、高周波処置用電極受けピン１８にアクティブコード１７を接続することにより、電気メス単独として使用することも可能である。
【００４１】
尚、処置具１２はその外装に金属部分が露出しないように、ゴム、プラスチック等で電気的に絶縁してあるので、電気メスとして使用する上で支障がない。
【００４２】
また、処置具１２、着脱式電気メスアダプタ１９、着脱式駆動信号伝達コード１４のすべてのものを装着すると、駆動信号伝達コード１４の先端コネクタ２５における接触子７４ａ，７４ｂ、着脱式電気メスアダプタ１９の電極板７１ａ，７１ｂ及び接触子７４ａ，７４ｂ、処置具１２の電極板７１ａ，７１ｂが電気的に導通し、超音波駆動装置１３より発せられた駆動信号は超音波振動子１１に伝達され、超音波メス処置を可能にする。
【００４３】
また、電気メスを使用しない場合には、着脱式電気メスアダプタ１９を取り外し、駆動信号伝達コード１４の先端コネクタ２５を処置具１２に直接に接続すると、駆動信号伝達コード１４の先端コネクタ２５における接触子７４ａ，７４ｂが処置具１２の電極板７１ａ，７１ｂに電気的に導通し、超音波駆動装置１３より発せられた駆動信号を超音波振動子１１に伝達し、超音波メス処置を可能にする。
【００４４】
以下に第２〜第７実施形態を示す。これらのものにおいて同様な部分については上記第１実施形態と同様の符号を付して説明する。作用に関しては第１実施形態と略同様の作用が得られる。
【００４５】
（第２実施形態）
図５を用いて本発明の第２実施形態について説明する。本実施形態に係る超音波処置装置は着脱式電気メスアダプタの取付け形式が前述した第１実施形態のものと異なる。前述した第１実施形態のものでは処置具１２の接続部６５に電気メスアダプタ１９を取り付け、この電気メスアダプタ１９を挟み込む形で駆動信号伝達コード１４の先端コネクタ２５を接続するようにしたが、本実施形態ではその電気メスアダプタ１９を設けず、その代わりに処置具１２の振動子カバー３１の部分に差込み孔８１を設け、この差込み孔８１に着脱形式の電気メスアダプタ８２を装着する形式とした。差込み孔８１の内側にはホーン３２と電気的に導通する側の電極６２ａが位置しており、差込み孔８１に電気メスアダプタ８２を装着すると、その電気メスアダプタ８２が電極６２ａに電気的に導通し、第１実施形態と同様、電気メス処置を可能にする。
【００４６】
この電気メスアダプタ８２は第１実施形態での処置用電極受けピン１８と類似の電極受けピン８３を備える。また、電気メスアダプタ８２は差込み孔８１に対して着脱自在なものである。電気メスアダプタ８２の電極受けピン８３にはアクティブコード１７の先端コネクタ２４が着脱自在に接続可能である。
【００４７】
そして、電気メス使用時には差込み孔８１に着脱式の電気メスアダプタ８２を差し込んで装着する。すると、処置用電極受けピン８３とプローブ３３が電気的に導通し、電気メスを使用できる状態になる。また、電気メスを使用しない場合には非導電性の部材（例えば、ゴム、プラスチック等）で作られたキャップ（図示せず）で差込み孔８１を塞ぐことにより電気的安全及び外観を確保している。
【００４８】
（第３実施形態）
図６を用いて本発明の第３実施形態について説明する。本実施形態では前述した第２実施形態と同様、処置具１２の接続部６５と駆動信号伝達コード１４の先端コネクタ２５との間に電気メスアダプタ１９を挟み込む形で装着するものではなく、図６で示すように、処置具１２の振動子カバー３１の後端部外周に筒状に形成した電気メスアダプタ９１を被嵌して着脱式に装着するようにし、この電気メスアダプタ９１に対し駆動信号伝達コード１４の先端コネクタ２５を接続するようにしたものである。
【００４９】
電気メスアダプタ９１には電気メス入力部となる処置用電極受けピン９２が設けられ、また、電極受けピン９２には比較的柔軟なリード線９３が接続されている。リード線９３の先端には電極チップ９４が設けられている。
【００５０】
処置具１２の接続部６５には駆動信号伝達コード１４の先端コネクタ２５を接続できる。電気メス使用時には電極チップ９４が処置具１２のホーン３２と電気的に導通する側の電極付近に設けられたスリット（図示せず）に差し込むことにより、処置用電極受けピン９２とプローブ３３は電気的に接続し、第１実施形態と同様、電気メス処置を可能にする。
【００５１】
（第４実施形態）
図７を用いて本発明の第４実施形態について説明する。本実施形態に係る超音波処置装置は電気メスアダプタの着脱式の取付け形式が前述した第２実施形態の電気メスアダプタ８２と同様な電気メスアダプタ９６を駆動信号伝達コード１４の先端コネクタ２５に装着できるようにしたものである。すなわち、駆動信号伝達コード１４の先端コネクタ２５の部分に差込み孔９７を設け、この差込み孔９７に電気メスアダプタ９６を着脱自在に装着するようにした。この差込み孔９７の内側にはホーン３２と電気的に導通する側の接触子７４ａが位置しており、電気メスアダプタ９６を差込み孔９７に装着したとき、電気メスアダプタ９６に設けた処置用電極受けピン９８を接触子７４ａ（ホーンと電気的に導通する側の電極）に導通するように構成されている。
【００５２】
電気メス使用時には先端コネクタ２５の差込み孔９７に着脱式電気メスアダプタ９６を差し込んで装着することにより、処置用電極受けピン９８とプローブ３３が電気的に導通し、第１実施形態と同様、電気メス処置を可能にする。
【００５３】
電気メスを使用しない場合には差込み孔９７から電気メスアダプタ９６を外しておくことができ、この場合、差込み孔９７の開口部分を非導電性の部材（例えば、ゴム、プラスチック等）で作られたキャップ（図示せず）で塞いでおくことにより、電気的安全及び外観を確保できる。
【００５４】
（第５実施形態）
図８を用いて本発明の第５実施形態について説明する。本発明の第１〜４実施形態または後述する第６実施形態では凸型の処置用電極受けピンを用いるが、本実施形態はアクティブコード１７の先端コネクタ１０１を凸型として、処置具１２の振動子カバー３１の部分に形成した凹型の接続口１０２に差し込んで着脱自在に装着するようにしたものである。アクティブコード１７の先端コネクタ１０１を接続口１０２に差し込むと、ホーン３３と電気的に導通する側の電圧入力電極６２ａに導通するように構成されている。
【００５５】
電気メス使用時には処置具１２の接続口１０２にアクティブコード１７の先端コネクタ１０１を差し込む。すると、プローブ３３とアクティブコード１７が電気的に導通し、第１実施形態と同様、電気メス処置が可能になる。
【００５６】
本実施形態の構成では振動子カバー３１に接続口１０２を設けたが、着脱式駆動信号伝達コード１４の先端コネクタ２５にホーン３２と電気的に導通する側の電極上部に設けても良いし、振動子カバー３１と着脱式駆動信号伝達コード１４の先端コネクタ２５の間、若しくは着脱式駆動信号伝達コード１４の先端コネクタ２５と駆動装置１３の間に着脱式電気メスアダプタ１９を装着し、その着脱式電気メスアダプタ１９のホーン３３と電気的に導通する側の電極上部に、接続口１０２を設けても良い。
【００５７】
また、電気メスを使用しない場合には接続口１０２を非導電性の部材（例えば、ゴム、プラスチック等）で作られたキャップ（図示せず）ににより塞ぎ、電気的安全及び、外観を確保する。
【００５８】
（第６実施形態）
図９を用いて本発明の第６実施形態について説明する。本実施形態に係る超音波処置装置では駆動装置１３に接続される駆動信号伝達コード１４の先端コネクタ２５と駆動装置１３の接続口１２０との間に挟み込む形で着脱式電気メスアダプタ１２１を設け、この着脱式電気メスアダプタ１２１には電気メス入力部となる処置用電極受けピン１２２を設け、この電極受けピン１２２はプローブ３３と電気的に接続される側の電極と電気的に接続されるように構成されている。従って、超音波駆動時には処置用電極受けピン１２２にアクティブコード１７の先端コネクタ２４を接続することにより電気メス装置１６により発生された電気メス信号がプローブ３３に伝わり、電気メス処置が可能である。
【００５９】
尚、１２３は駆動信号伝達コード１４を使用しないとき、そのコネクタ２６を覆うキャップである。
【００６０】
（第７実施の形態）
図１０を用いて本発明の第７実施形態について説明する。前述した第１〜第６実施形態での電気メス処置はモノポーラと呼ばれるものであったが、本発明ではバイポーラと呼ばれるものでも良い。本実施形態ではそのバイポーラ形式のものを用いる。
【００６１】
すなわち、着脱式電気メスアダプタ１９には第１処置用電極受けピン１３１ａと第２処置用電極受けピン１３１ｂを備える。第１処置用電極受けピン１３１ａはプローブ３３と電気的に導通し、プローブ３３の先端を細径にして形成した固定刃３４に電気的に導通するようにする。また、第２処置用電極受けピン１３１ｂは固定刃３４に対向した可動刃４２と電気的に導通するように構成する。
【００６２】
そして、第１処置用電極受けピン１３１ａには第１アクティブコード１１７ａを接続し、第２処置用電極受けピン１３１ｂには第２アクティブコード１１７ｂを接続することで、固定刃３４と可動刃４２の間に高周波電流を通電することが可能になる。つまり、固定刃３４と可動刃４２の間に処置対象の生体組織を把持させた状態で、固定刃３４と可動刃４２の間に高周波電流を通電させることにより、バイポーラ方式で、生体組織を凝固・切開することが可能になる。
【００６３】
（第８実施形態）
図１１乃至図２２を参照して本発明の第８実施形態に係る超音波凝固切開装置について説明する。
【００６４】
図１１では、処置具としてのハンドピース２０１，２０１ａに対してケーブル２０２を着脱出来るように構成した着脱ケーブルユニット２０３を備えた超音波処置装置のシステムを示している。ここでは、複数種のハンドピース２０１が用意されている。つまり、フックプローブユニット２０５を組み付けたハンドピース２０１と、シザースプローブユニット２０６を組み付けたハンドピース２０１と、更に、トロッカーユニット２０７を組み付けた別種のハンドピース２０１aがある。
【００６５】
フックプローブユニット２０５及びシザースプローブユニット２０６はハンドピース２０１に対し着脱交換自在であり、ハンドピース２０１を共通に使用することができる。ハンドピース２０１とハンドピース２０１ａは共振周波数が異なる点でも相違する。
【００６６】
上記フックプローブユニット２０５はフックプローブ２０８を有し、図１２に示すように、フックプローブ２０８のプローブ根元２０８ａに形成した雄ねじ２０８ｂを上記ハンドピース２０１の後述するホーン２１１の先端に形成されたプローブ取り付け部２１２の雌ねじ２１２ａにねじ込んで締結できるようになっている。更に、フックプローブ２０８には高周波給電端子２１３を備えたシース２１４が装着されている。シース２１４の基端部２１５は上記ハンドピース２０１の先端部に被嵌し、図１３に示すように、ハンドピース２０１の先端に設けられたシース接続部２１６に着脱自在に装着されるようになっている。
【００６７】
上記シザースプローブユニット２０６はシザースプローブ２２１を有しており、シザースプローブ２２１の根元に形成した雄ねじを上記ハンドピース２０１のホーン２１１の先端に形成されたプローブ取り付け部２１２の雌ねじ２１２ａにねじ込んで締結できるようになっている。更に、シザースプローブ２２１にはハンドル２２２を含んだシース２２３が被せられ、シース２２３の基端部２２４は上記ハンドピース２０１の先端部に被嵌し、シース接続部２１６に着脱自在に装着されるようになっている。
【００６８】
トロッカーユニット２０７は、特に共振周波数が上記フックプローブユニット２０５及びシザースプローブユニット２０６のものと異なるため、専用のハンドピース２０１ａに対してトロッカープローブ２２５を取り付けるようにしている。トロッカープローブ２２５は図示しないが、ハンドピース２０１ａのホーンに形成された雌ねじに対してねじ締結されている。トロッカープローブ２２５には外套管２２６が被嵌されており、外套管２２６の基端部２２７はハンドピース２０１ａに対して着脱自在に装着されている。
【００６９】
ハンドピース２０１及びハンドピース２０１ａはいずれもその手元側端にハンドピースプラグ部２３１を設けており、これらのハンドピースプラグ部２３１はいずれも同形状をしており、これは着脱ケーブルユニット２０３におけるケーブル２０２の片側端に設けられたハンドピースソケット２３２を着脱自在に出来るように構成されている。着脱ケーブルユニット２０３におけるケーブル２０２の他方端には、図示しないジェネレータに着脱自在に接続するジェネレータプラグ２３３が設けられている。そして、ジェネレータプラグ２３３より、ジェネレータからの駆動電流を受け、ケーブル２０２を通じてハンドピースソケット２３２内部に設けられた接点に駆動電流を供給するようになっている。
【００７０】
図１２に示すように、ハンドピース２０１の先端にはシース２１４，２２３を接続するシース接続部２１６が設けられている。ハンドピース２０１の外装はアウターケース２３５で形成されている。アウターケース２３５の上面にはハンドピースソケット２３２をハンドピースプラグ部２３１に装着する際に位置合わせの目印となる指標２３６が付設されている。ハンドピースプラグ部２３１には、ハンドピースソケット２３２を装着する際のガイドとなる位置合わせ溝２３７と、後述する接点を内部に含んだコネクタシェル２３８と、このコネクタシェル２３８の外周に形成され、ハンドピースソケット２３２を固定する際に使用するレバーを挿入するためのロックガイド２３９が設けられている。
【００７１】
図１３は図１２のＡＯＡ’線に沿う断面を示しており、この図１３を参照して上記ハンドピース２０１の内部構造を以下に説明する。シース接続部２１６はシース２１４，２２３を簡単に着脱できるように、適度な着脱力量を実現するようにＣ型形状をしたＣリング２１６ａと、Ｃリング２１６ａが外れないように組み込むＣリング枠２１６ｂ、そしてハンドピース２０１の構造体であるインナーケース２４１にねじ固定する連結ねじ部材２１６ｄと共に軸方向の長さ調整を行うねじ部材２１６ｃとから構成される。
【００７２】
インナーケース２４１の内には駆動電流を受けて超音波振動にエネルギ変換するボルト締めランジュバン型振動子２４２が収納され、ランジュバン型振動子２４２はインナーケース２４１の内面に形成されたリブ２４３にホーン２１１の手元側端に形成されているフランジ２１１ａを突き当て位置決め固定されている。フランジ２１１ａの前面にはパッキン２４５が配置され、更に固定ナット２４６をインナーケース２４１に形成された雌ねじ２４７に対して固定ナット２４６の雄ねじ２４６ａを介してねじ込み、ボルト締めランジュバン型振動子２４２が位置決め固定されている。固定ナット２４６とホーン２１１の界面には、ホーン２１１と固定ナット２４６の間の水密を保ち、且つボルト締めランジュバン型振動子２４２の軸ずれを防ぐ目的でＯリング２４８が設けられている。また、インナーケース２４１と固定ナット２４６の接触面にはＯリング２４９が設けられ、外部からの蒸気や液体の侵入を防いでいる。
【００７３】
ボルト締めランジュバン型振動子２４２は駆動電流を超音波振動に変換する積層した圧電素子２５１がフランジ２１１ａの後端面に圧着固定されている。また、圧電素子２５１の間には電流を供給するための端子２５２が挟み込まれている。
【００７４】
次に、ハンドピースプラグ部２３１の内部構造について説明する。ハンドピースプラグ部２３１の内側にはコネクタシェル２３８に接して導電部材ケース２５５が配置され、また、この導電部材ケース２５５を固定するために固定ナット２５６がコネクタシェル２３８に形成された雄ねじ２３８ａと固定ナット２５６に形成された雌ねじ２５６ａを介してねじ固定されている。
【００７５】
これらコネクタシェル２３８、導電部材ケース２５５、固定ナット２５６は１つのユニットとしてインナーケース２４１の手元側端部内に挿入配置され、接着剤及びピン２５７により、そのインナーケース２４１に固定されている。インナーケース２４１の外側には上記アウターシース２３５が接着剤で固定され、また、位置合わせのために、突起２３５ａがコネクタシェル２３８のスリット(番号付与してない)に嵌合している。コネクタシェル２３８と固定ナット２５６の間に挟まったパッキン２６１、及びインナーケース２４１とアウターケース２３５の接触面間に配置されたＯリング２６２は接着剤硬化時に外観へ無用な接着剤のはみ出しを防止するものである。
【００７６】
前記コネクタシェル２３８、導電部材ケース２５５、固定ナット２５６の内部にはハンドピースソケット２３２からの駆動電流を伝達させる接点２６５がコネクタシェル２３８の中心位置に配置されたコネクタ突部２６６の周面に４箇所おおよそ同心円上に配置されている。接点２６５はそれぞれ極性があり、その先端は板状になっている。特に後述する駆動電流供給端子２６７及び駆動電流供給端子２６８は導電部材２６９に圧入されている。各導電部材２６９は導電部材ケース２５５に加工された穴内に配設されており、図１３の（ｂ）に示すように、その反対側から各導電部材２６９の端面には端子２７１が差し込まれ、固定ねじ２７２により固定されている。端子２７１の端部はＵ字状に加工され、これにはボルト締めランジュバン型振動子２４２に接続するリード線３２６が半田付けにより接続されている。
【００７７】
上記接点２６５の端部は図１３の（ｂ)で示すように、駆動電流を通電する駆動電流供給端子２６７，２６８、ハンドピース２０１の種類を検知するための電流を通電するハンドピース検知端子２７５及びハンドピース検知端子２７６の極性としている。また、コネクタシェル２３８側の導電部材ケース２５５の接触面は十字状に溝２７７が加工されており、更に、ハンドピース２０１の種類を検知する抵抗２７８を格納するための溝２７９が加工されている。そして、溝２７９に抵抗２７８を格納した後、その隙間にはシリコンゴム２８０が充填され、抵抗２７８の足２７８ａはハンドピース検知端子２７５及びハンドピース検知端子２７６に加工されたスリットに固定されている。十字状の加工溝２７７には導電部材ケース２５５のコネクタシェル２３８との接触面に形成された十字状突起２８１が収まり、その隙間にはシリコンゴム２８２が充填されている。インナーケース２４１と固定ナット２５６の接触面間にはＯリング２８３が設けられ、同様に導電部材ケース２５５と固定ナット２５６の接触面間にはＯリング２８４、更に導電部材２６９と導電部材ケース２５５の接触面間にはＯリング２８５が設けられ、外部からの蒸気及び液体の侵入を防いでいる。
【００７８】
導電部材２６９は駆動電流供給端子２６７及び駆動電流供給端子２６８から供給される駆動電流を通電するものである。２つある端子２７１のＵ字状溝それぞれにはコンデンサ２８６の足が半田付けされている。更に、それらの回りは熱収縮チューブ２８７により覆われている。コンデンサ２８６は導電部材ケース２５５に対してシリコンゴム２８９により固定されている。
【００７９】
図１３の（ａ）に示すように、インナーケース２４１の内側には、隔壁２９１が形成され、この隔壁２９１には通し孔２９２が加工されている。通し孔２９２には上記リード線３２６が通してあり、これによって、リード線３２６の配置位置が規制されることで、リード線３２６の絡みとボルト締めランジュバン型振動子２４２との接触を防止し、万が一接触した場合でもそのリード線３２６の回りに被せられている熱収縮チューブ２８７が超音波振動による摩擦熱の発生防止と短絡防止をつかさどる。
【００８０】
次に、ハンドピース２０１のハンドピースプラグ部２３１について説明する。図１４で示すように、環状に形成されたコネクタシェル２３８はコネクタ突部（突起）２６６を囲む環状壁を形成しており、コネクタ突部２６６はコネクタシェル２３８の内部中央に位置して同心的に配置されている。
【００８１】
コネクタ突部２６６の外側周面には嵌合スリット２９５と接点２６５が配設されている。接点２６５は幅の狭い帯状に形成され、コネクタ突部２６６の長手軸方向に長手方向が一致するように配設されている。この接点２６５を含んだコネクタ突部２６６及びコネクタシェル２３８は図１５で示すようにその間によって嵌合空間（円周溝）２９６を同心円状に設け、コネクタ突起２６６とコネクタシェル２３８とは一定の距離（幅）を置いて離れている。嵌合空間２９６の幅は指が入り込まない距離で形成することが望ましい。
【００８２】
接点２６５はコネクタ突起２６６の周面の一部分で露出しており、その露出部はコネクタ嵌合底面２９７から一定の距離、例えば上記接点２６５の幅以上離れ、また、上記コネクタ突起２６６の先端面からも例えば上記接点２６５の幅以上に円周溝奥側に離れた位置に配置されている。
【００８３】
図１６は、上記嵌合空間２９６に洗浄ブラシ２９８のブラシ部２９９を挿脱している様子を示している。
【００８４】
図１７では、ハンドピース２０１，２０１ａのハンドピースプラグ部２３１と、これに装着する着脱ケーブルユニット２０３におけるハンドピースソケット２３２を示している。
【００８５】
上記ハンドピースソケット２３２は内部がお椀状のソケットケース３０１を有し、ソケットケース３０１によって第一の環状壁を形成している。ソケットケース３０１の先端部にはソケット端部品３０２が接着固定されている。ソケットケース３０１の内側には概パイプ状の内ソケット３０３が形成されている。内ソケット３０３は第二の環状壁を形成するものであり、ソケットケース３０１と内ソケット３０３は同心的に配設され、その間に円周状の溝空間を形成している。第二の環状壁は第一の環状壁よりも低く、第二の環状壁内奥に配置されている。
【００８６】
第二の環状壁の内側に向かって嵌合突起３０４が形成され、この嵌合突起３０４の内側には接点３０５が配置されている。図１７に示すように、ソケットケース３０１の内面上部には位置合わせ用突起３０６が形成されている。
【００８７】
上記接点３０５をインサート成形した接点支持体３０７がソケットケース３０１にケーブル側から挿入され、それとの接触面にはＯリング３０８が設けられている。接点３０５のケーブル側端部は接点支持体３０７から突き出しており、圧着端子３０９が圧入され、その外側には熱収縮チューブ３１１が被せられている。
【００８８】
図１８に示すように、接点支持体３０７のケーブル側端面には十字状の仕切り壁３１２が形成され、これにより端子間の沿面距離を確保している。これらは透明な樹脂製の充填ケース３１３で軸方向にわたり覆われ、その内側の隙間にはシリコンゴム３１４が充填されている。充填ケース３１３と接点支持体３０７を挟み込むようにして主支持体３１７がソケットケース３０１に対して雄ねじ３２１と雌ねじ３２２を介してねじ込み固定している。ソケットケース３０１と主支持体３１７の接触面間にはパッキン３２３が配置され、この部分を通じての外部からの液体の侵入を防いでいる。
【００８９】
圧着端子３０９に圧着したリード線３２６はケーブル２０２外被を剥いだものであり、リード線３２６と外被の間に設けられたシールド３２７はケーブル２０２の外表面に折り返されて、その外側を圧着体３２８により圧着固定されている。また、図１９に示すように、圧着体３２８の外側面には三方から固定リング３２９にねじ込まれた三本の固定ねじ３３０の先端が突き当てられ、圧着体３２８を支持固定し、ケーブル２０２の軸方向及び回転方向のずれを防止している。主支持体３１７に対して嵌め込む固定リング３２９を押さえ込むように折れ止めゴム支持体３３４は雄ねじ３３５および雌ねじ３３６を介して主支持体３１７にねじ込み固定されている。
【００９０】
主支持体３１７と折れ止めゴム支持体３３４の間にはパッキン３３７が配置され、また、ケーブル２０２と折れ止めゴム支持体３３４の間には密着ゴム３３８が配置され、この部分よりの液体の侵入を防止している。
【００９１】
主支持体３１７の外側面に形成されたフランジ３４１に内面円周突起３４２を引っかけるようにして折れ止めゴム３４３が組み付けられる。それらの外側からソケットカバー３４５が被せられ、ソケットケース３０１に対して雄ねじ３４６及び雌ねじ３４７を介してねじ込み固定されている。
【００９２】
尚、図１７では接点３０５は２つしか見えないが、図１８に示すように４つであり、接点３０５の突出部が４極設けられている。それぞれ圧着端子３０９に圧入された端部にはハンドピース検知端子３５１及びハンドピース検知端子３５２、駆動電流端子３５３及び駆動電流端子３５４が設けられており、それぞれにはハンドピース検知電流や駆動電流が供給されるようになっている。
【００９３】
図２０はハンドピースソケット２３２を水平面で縦断した断面図であり、この図２０に示すように、ソケットケース３０１の左右側壁部には角形の孔３６１が形成されており、ソケット端部品３０２から延出したレバー３６２が前記孔３６１内に配置されている。レバー３６２の内側には内側に反り返る形状をした内レバー３６３が形成されている。内レバー３６３の端部にはロックエッジ３６４及び斜面３６５が形成されている。
【００９４】
内ソケット３０３の左右側壁部には角長孔状のスリット３６６が形成され、そのスリット３６６の内部には接点支持体３０７から延出した接点３０５が弾性的にスリット３６６の内部に形成した突き当て面３６７に付勢されて配置している。４箇所対称にスリット３６６及び接点３０５が配置されている。上記スリット３６６はソケット長軸と平行である。また、接点３０５の一端は内ソケット３０３に支持固定されており、他端側中途部が弾性変形できるようになっている。
【００９５】
ハンドピース２０１を水平面で縦断した図２０に示すように、インナーケース２４１のハンドピースプラグ部２３１に位置する内部にはロック穴３６８が形成され、ロックガイド２３９の開口部付近には斜面３６９が形成されている。
【００９６】
次に、上記超音波凝固切開装置の作用について説明する。本装置を使用する場合、まず、着脱ケーブルユニット２０３のジェネレータプラグ２３３を図示しないジェネレータに接続しておき、手術で使用するフックプローブユニット２０５及びシザースプローブユニット２０６を予めそれぞれハンドピース２０１に対して組み付けておき、また、トロッカーユニット２０７をハンドピース２０１ａに組み付けておく。
【００９７】
着脱ケーブルユニット２０３のハンドピースソケット２３２をトロッカーユニット２０７を組み付けたハンドピース２０１ａのハンドピースプラグ部２３１に装着する際には位置合わせ突起３０６を位置合わせ溝２３７に案内させながら組み付けていく。ハンドピースプラグ部２３１にハンドピースソケット２３２が組み付いていくと、レバー３６２の内レバー３６３の斜面３６５がロックガイド２３９に導かれながら斜面３６９を乗り上げて、ロックエッジ３６４がロック穴３６８に嵌まり込む。そして、接点３０５は内側向きに付勢されているため、図２１及び図２２で示すように、接点３０５は接点２６５と確実に接触し、両者の電気的導通性が確保される。
【００９８】
直ちにジェネレータからのハンドピース検知電流は、ジェネレータプラグ２３３、ケーブル２０２、リード線３２６、圧着端子３０９、ハンドピース検知端子３５１、ハンドピース検知端子３５２へと供給され、接点３０５と接触した接点２６５を介してハンドピース検知端子２７５、ハンドピース検知端子２７６へと通電される。その際、ハンドピース検知端子２７５、ハンドピース検知端子２７６の先端には抵抗２７８が接続しているため、そのハンドピース固有の抵抗値が検出され、ジェネレータ側ではそのハンドピース２０１に適した共振周波数及び電流値を駆動電流として供給する設定となる。
【００９９】
ハンドピースプラグ部２３１を外側からハンドピースソケット２３２で覆って装着する構造のため、ハンドピース２０１及びハンドピースソケット２３２に対して外部から力を加えた際の強度が向上した。また、嵌合スリット２９５と嵌合突起３０４が嵌合するため、電気的接続に関して最適な位置関係となる。トルクやモーメントを加えても電気的接続性は低下しない。
【０１００】
次に、ハンドピース２０１ａに組み付けたトロッカーユニット２０７の先端を患者の腹壁に接触させ、図示しないフットスイッチを踏むと、ジェネレータから駆動電流がジェネレータプラグ２３３からケーブル２０２、更にリード線３２６、圧着端子３０９へ通電され、内ソケット３０３内部の接触面である接点３０５から接点２６５へと通電して駆動電流がハンドピース２０１ａに供給される。そして、駆動電流供給端子２６７，２６８から導電部材２６９、端子２７１、リード線３２６へと駆動電流が通電してボルト締めランジュバン型振動子２４２で超音波振動に変換される。その際、腹壁には超音波振動が作用して穿刺ができる。
【０１０１】
その後、内視鏡下外科手術に使用する処置具を挿入するための外套管２２６を留置する。新しい外套管２２６を組付けて、同様にして腹壁に穿刺し、必要数の外套管を留置する。
【０１０２】
また、ハンドピース２０１ａを外す際には、レバー３６２を押すと、ロックエッジ３６４がロック穴３６８から外れ、簡単にハンドピースソケット２３２からハンドピース２０１ａを外す事が出来る。
【０１０３】
同様にして、フックプローブユニット２０５及びシザースプローブユニット２０６の組み付いたハンドピース２０１をハンドピースソケット２３２に装着すると、ハンドピース２０１の内部に設けられたハンドピース固有の抵抗値が検出され、ジェネレータでハンドピース２０１に適した共振周波数及び電流値を駆動電流として供給する設定となる。適宜フットスイッチを踏めば、ジェネレータからの駆動電流はハンドピース２０１に供給され、超音波振動に変換して各プローブ先端において各種処置が行える。フックプローブユニット２０５とシザースプローブユニット２０６を交換して使用する際にはレバー３６２を押してハンドピースソケット２３２からハンドピース２０１を外し、他のプローブユニットが組み付いたハンドピース２０１をハンドピースソケット２３２に装着して使用する。
【０１０４】
図１６はハンドピース２０１，２０１ａのハンドピースプラグ部２３１における嵌合空間２９６に洗浄ブラシ２９８のブラシ部２９９を挿脱して洗浄する様子を示している。ブラシ部２９９は嵌合空間２９６の内部の隅々まで接触する。また、嵌合空間２９６はその隙間が２ミリから４ミリ程度であり、術者の指等は入らない。
【０１０５】
これによると、コネクタが嵌合する空間に洗浄ブラシを挿通出来るため、コネクタ内部の電気接点の洗浄性が向上する。その結果、電気導通性の低下が防げる。当然のことながら、ケーブル側のソケット内はハンドピースの嵌合空間よりも広いため洗浄性は問題ない。万が一、水等の液体がコネクタ内部に入った場合でも、ハンドピース側の接点はコネクタ内部の底から距離を離して配置してあるため、多少の液体が溜まっても、接点間で短絡が起ることがない。また、液体の量が多い場合にはハンドピース２０１，２０１ａを横にすれば、液体は外へ流れ出るため、同様に接点間の短絡は起らない。着脱ケーブルユニット２０３側のハンドピースソケット２３２では、液体が接点内部に液体が入っても接点の裏側に水抜き用のスリット３６６が加工されているため、液体は速やかにぬける。したがって、接点間の短絡を防げる。また、本実施形態によれば、当然の事ながら、プローブのねじ部を着脱する事なく使用したいプローブを速やかに交換出来る。
【０１０６】
（第９実施形態）
図２３及び図２３を参照して本発明の第９実施形態に係る超音波凝固切開装置について説明する。本実施形態は前述した第８実施形態の変形例であり、変更点のみ説明する。
【０１０７】
着脱ケーブルユニット２０３側のソケットケース３０１の、コネクタシェル２３８が突き当たる面には、パッキン４０１が配設されている。このため、図２４に示すように、ハンドピースソケット２３２をハンドピースプラグ部２３１に装着すると、コネクタシェル２３８の端面が、そのパッキン４０１に突き当たって接触するため、装着状態で液体に浸積しても液体はコネクタ内部に侵入しない。このため、接点同士が短絡する事を防げる。本実施形態の他の効果は第８実施形態と同じである。
【０１０８】
（第１０実施形態）
図２５を参照して本発明の第１０実施形態に係る超音波凝固切開装置について説明する。本実施形態は前述した第８実施形態の変形例であり、変更点のみ説明する。
【０１０９】
超音波処置具において、ハンドピースは１種類のシステムの場合であり、検知抵抗は不要のため、図２５に示すように、接点２６５は２箇所のみで良い。本実施形態の効果は異なるハンドピースを使用出来ない事を除いて第８実施形態と同じである。
【０１１０】
[付記]
１．駆動電流を超音波振動に変換する振動子を有し、かつジェネレータからの駆動電流を上記振動子に供給するケーブルのコネクタを着脱自在に接続するプラグ部を備えた超音波ハンドピースにおいて、
上記プラグ部は、中央に突起を形成し、上記突起の周囲に距離を置いて上記突起を囲むように環状壁を形成し、上記突起の周面には上記環状壁で囲まれる位置に電気接点を配設したことを特徴とする超音波ハンドピース。
２．第２項の超音波ハンドピースにおいて、上記電気接点は上記突起の周面上にハンドピース長軸と平行に配置したことを特徴とする。
３．第２項の超音波ハンドピースにおいて、上記電気接点は上記環状壁と上記突起との間に形成される円周溝の奥底から電気接点の幅以上離れた位置に上記突起から露出して配設したことを特徴とする。
【０１１１】
４．第２項の超音波ハンドピースにおいて、上記突起と上記環状壁との間に形成される円周溝の幅は上記電気接点の幅よりも大きく上記突起の径よりも小さいことを特徴とする。
５．第４項の超音波ハンドピースにおいて、上記突起の周面部に配設した複数の電気接点間に、ハンドピース長軸と平行な嵌合溝を形成したことを特徴とする。
６．第３項の超音波ハンドピースにおいて、上記電気接点は上記突起の先端面から上記電気接点の幅以上、上記円周溝の奥側に離れた位置に配置したことを特徴とする。
【０１１２】
７．駆動電流を超音波振動に変換する振動子を有し、かつジェネレータからの駆動電流を上記振動子に供給するケーブルのコネクタを着脱自在に接続するプラグ部を備えた超音波ハンドピースにおいて、
上記プラグ部は、電気接点の周囲にその電気接点を囲むように環状壁を設けたことを特徴とする。
８．第１項または第７項の超音波ハンドピースにおいて、上記環状壁の外周に上記ケーブルのコネクタを係着する手段を設けたことを特徴とする。
【０１１３】
９．駆動電流を超音波振動に変換する振動子を有した超音波ハンドピースのプラグ部に対し着脱自在に装着されるハンドピースソケットを備え、かつ上記振動子にジェネレータからの駆動電流を供給するケーブルユニットにおいて、
上記ハンドピースソケットは上記超音波ハンドピースのプラグ部のコネクタ突起に嵌合する内部空間を設けたソケットを有し、上記ソケットにはそのソケットの外面から上記内部空間に貫通するスリットと、このスリットの内部に上記プラグ部の電気接点に接触する電気接点を配置したことを特徴とするケーブルユニット。
【０１１４】
１０．第９項のケーブルユニットにおいて、電気接点の一端はソケットに支持固定されており、他端側は弾性変形できることを特徴とする。
【０１１５】
１１．第１０項のケーブルユニットにおいて、上記スリットはソケット長軸と平行であることを特徴とする。
【０１１６】
１２．第１１項のケーブルユニットにおいて、ソケットは第一の環状壁と第二の環状壁とからなり、第二の環状壁は第一の環状壁の内側に配置し、スリットは第二の環状壁に形成したことを特徴とする。
【０１１７】
１３．第１２項のケーブルユニットにおいて、第二の環状壁は、第一の環状壁よりも低いことを特徴とする。
【０１１８】
１４．第１２項のケーブルユニットにおいて、第一の環状壁と、第二の環状壁の間の底に、ケーシングとソケットの間の水密を維持する円周状のパッキンを配置したことを特徴とする。
【０１１９】
上記各付記項は任意の組み合わせが可能であり、付記項のものによれば、ハンドピースとケーブルを着脱する形式の超音波処置具において、電気接点の洗浄性を向上させて電気的導通性の低下を防ぐと共に、不必要に接点部に指が触れない構造のハンドピース及び着脱ケーブルを提供することができる。
【０１２０】
（付記項の先行技術及びその問題点）
超音波を使用して手術を行う超音波処置具が広く普及している。超音波処置具の一般的な構成はジェネレータからの駆動電流を超音波振動に変換する振動子を備えたハンドピースと、このハンドピースの振動子で発生した超音波振動を生体組織に作用させて処置を行うプローブと、超音波振動するプローブが不必要に生体組織や術者に接触しないようにプローブを覆うシースとを備えている。
【０１２１】
プローブの形状等が違うと、生体組織に対する作用が異なる。そこで、使用目的に合わせた形式のプローブを選び、ハンドピースにネジ締結すると共に、各々のプローブ専用シースを、ハンドピースに対して組み付けて使え分ける形式の超音波処置具があった。
【０１２２】
ところで、ジェネレータからの駆動電流を伝達するケーブルを、ハンドピースから着脱自在に出来るように構成した場合、術中にプローブを取り替えるべく、複数のハンドピースそれぞれに予め必要なプローブをネジ締結し、専用のシースを組み付けておき、使用するプローブを術中に取り替えることが出来る。すなわち、ケーブル１本を共通に使用し、必要なプローブが予め組み付いたハンドピースにケーブルを付け替えて使用することが出来る。
【０１２３】
しかしながら、ハンドピースにケーブルを付け替えて使用する形式とした場合、ハンドピースの電気接点、及びケーブルのコネクタ部における電気接点は外部に露出する状態に設けられている。このように電気接点部は外部に露出しているから不必要に触れたりすると、その接触面が汚れて電気接点の電気導通性が低下してしまう。
【０１２４】
そこで、従来、電気接点の電気導通性の低下を防ぐため、一方の接点をオス型ピン形状とし、メス側の接点はピンの入る細い孔状に構成し、両者を嵌み合わせて電気的に接続することが多い。
【０１２５】
手術で使用する超音波処置具は、時々、接点部に体液や血液が付着することがあり得る。接点部に体液や血液が付着したまま放置すると、電気導通性が低下するおそれがあるので、接続部内まで洗浄する必要がある。
【０１２６】
しかし、ピンと孔の接続形式の構造では接続部内に血液等の汚れが付着した場合、その洗浄性が悪い。例えば、ＵＳＰ第５，３９５，２４０号の処置具があるが、これは、ピンと孔の接続形式のものであるため、接点部の洗浄性が良くない。
【０１２７】
また、洗浄性を向上させるため、接続部周辺を開放した形の接続構造であると、そのコネクタの開放部が大きくなる。すると、電気接点部に指が触れやすくなる。仮に、誤って接点に指等が触れて接点間を短絡させた場合、温度変化によりハンドピース内部のトランスデューサに溜まった電荷が放電したり、接点部に汚れが再付着するおそれがある。例えば、ＵＳＰ第５，８０７，３９２号に開示された解放構造のものを超音波ハンドピースに当てはめた場合、ピン接点間に触れ易く、その際に電荷の放電は避けられない。
【０１２８】
【発明の効果】
以上説明したように本発明によれば、不必要に接点部に指が触れない構造の超音波ハンドピースを提供できる。
【図面の簡単な説明】
【図１】超音波処置装置の基本的な構成を示す概念図。
【図２】本発明の第１実施形態に係る超音波凝固切開装置のシステム全体の説明図。
【図３】本発明の第１実施形態に係る超音波凝固切開装置の処置具を分解して示す展開斜視図。
【図４】本発明の第１実施形態に係る超音波凝固切開装置の処置具を分解して示す縦断面図。
【図５】本発明の第２実施形態に係る超音波凝固切開装置の処置具付近部分を分解して示す側面図。
【図６】本発明の第３実施形態に係る超音波凝固切開装置の処置具付近部分を分解して示す側面図。
【図７】本発明の第４実施形態に係る超音波凝固切開装置の処置具付近部分を分解して示す側面図。
【図８】本発明の第５実施形態に係る超音波凝固切開装置の処置具付近部分を分解して示す側面図。
【図９】本発明の第６実施形態に係る超音波凝固切開装置の着脱式電気メスアダプタ付近の説明図。
【図１０】本発明の第７実施形態に係る超音波凝固切開装置の処置具を分解して示す斜視図。
【図１１】本発明の第８実施形態に係る超音波凝固切開装置システムの説明図。
【図１２】本発明の第８実施形態に係る超音波凝固切開装置のハンドピースの斜視図。
【図１３】本発明の第８実施形態に係る超音波凝固切開装置のハンドピースを示し、（ａ）はそのハンドピースの図１２中Ａ−Ｏ−Ａ´線に沿う縦断面図、（ｂ）は（ａ）中Ｂ−Ｂ´線に沿う横断面図、（ｃ）は（ａ）中Ｃ−Ｃ´線に沿う横断面図。
【図１４】本発明の第８実施形態に係る超音波凝固切開装置のハンドピースにおけるハンドピースプラグ部の斜視図。
【図１５】図１４中、Ｄ−Ｄ´線に沿う上記ハンドピースにおけるハンドピースプラグ部の縦断面図。
【図１６】本発明の第８実施形態に係る超音波凝固切開装置のハンドピースにおけるハンドピースプラグ部の清掃時の縦断面図。
【図１７】本発明の第８実施形態に係る超音波凝固切開装置のハンドピースにおけるハンドピースプラグ部の側面図と着脱ケーブルユニットにおけるハンドピースソケットの縦断面図。
【図１８】図１７中Ｅ−Ｅ´線に沿う上記着脱ケーブルユニットにおけるハンドピースソケットの横断面図。
【図１９】図１７中Ｆ−Ｆ´線に沿う上記着脱ケーブルユニットにおけるハンドピースソケットの横断面図。
【図２０】本発明の第８実施形態に係る超音波凝固切開装置のハンドピースにおけるハンドピースプラグ部と着脱ケーブルユニットにおけるハンドピースソケットの水平に断面した縦断面図。
【図２１】本発明の第８実施形態に係る超音波凝固切開装置のハンドピースにおけるハンドピースプラグ部と着脱ケーブルユニットにおけるハンドピースソケットの接続した状態での縦断面図。
【図２２】本発明の第８実施形態に係る超音波凝固切開装置のハンドピースにおけるハンドピースプラグ部と着脱ケーブルユニットにおけるハンドピースソケットを接続した状態での水平に断面した縦断面図。
【図２３】本発明の第９実施形態に係る超音波凝固切開装置のハンドピースにおけるハンドピースプラグ部と着脱ケーブルユニットにおけるハンドピースソケットの縦断面図。
【図２４】本発明の第９実施形態に係る超音波凝固切開装置のハンドピースにおけるハンドピースプラグ部と着脱ケーブルユニットにおけるハンドピースソケットを接続した状態での縦断面図。
【図２５】本発明の第１０実施形態に係る超音波凝固切開装置のハンドピースにおけるハンドピースプラグ部の斜視図。
【符号の説明】
１…処置具
２…超音波振動子
３…プローブ
５…駆動信号伝達用ケーブル
６…着脱式電気メスアダプタ
７…電気メス装置
６５…接続部
６６…嵌着用筒部
７１…電極板
７６…突起部
【図１】
0003795032.tif 000002
【図２】
0003795032.tif 000003
【図３】
0003795032.tif 000004
【図４】
0003795032.tif 000005
【図５】
0003795032.tif 000006
【図６】
0003795032.tif 000007
【図７】
0003795032.tif 000008
【図８】
0003795032.tif 000009
【図９】
0003795032.tif 000010
【図１０】
0003795032.tif 000011
【図１１】
0003795032.tif 000012
【図１２】
0003795032.tif 000013
【図１３】
0003795032.tif 000014
【図１４】
0003795032.tif 000015
【図１５】
0003795032.tif 000016
【図１６】
0003795032.tif 000017
【図１７】
0003795032.tif 000018
【図１８】
0003795032.tif 000019
【図１９】
0003795032.tif 000020
【図２０】
0003795032.tif 000021
【図２１】
0003795032.tif 000022
【図２２】
0003795032.tif 000023
【図２３】
0003795032.tif 000024
【図２４】
0003795032.tif 000025
【図２５】
0003795032.tif 000026